(57)【要約】      （修正有）【課題】ブラシレスモータで電動送風機の始動を可能とし、送風機入口の漏れ流量を低減し、送風機効率の向上と、ごみ取り性能を向上させた電動送風機及び電気掃除機を提供する。【解決手段】吸込開口を有するシュラウド板とハブ板の間に放射状に複数の羽根を有する樹脂製の回転翼１および、該回転翼の外周部に複数のディフューザ翼３ａを配置し、前記回転翼と前記ディフューザ翼を覆う樹脂製のファンケーシング２と、前記回転翼を回転駆動するセンサレスブラシレスモータ２０２とを備え、前記ファンケーシングの中央部に吸込口２ａと、該吸込口を囲む環状凹部３７を有し、該環状凹部にシール部材が設けられ、該シール部材３８と前記シュラウド板の吸込開口が当接し、前記ブラシレスモータの起動トルクよりも前記シール部材と前記吸込開口の当接することによる摩擦トルクを小さくする。【選択図】図１
2019105216.tif 000002
【特許請求の範囲】
【請求項１】
吸込開口を有するシュラウド板とハブ板の間に放射状に複数の羽根を有する樹脂製の回転翼および、該回転翼の外周部に複数のディフューザ翼を配置し、前記回転翼と前記ディフューザ翼を覆う樹脂製のファンケーシングと、前記回転翼を回転駆動するセンサレスブラシレスモータとを備え、
前記ファンケーシングの中央部に吸込口と、該吸込口を囲む環状凹部を有し、該環状凹部にシール部材が設けられ、該シール部材と前記シュラウド板の吸込開口が当接し、
前記ブラシレスモータの起動トルクよりも前記シール部材と前記吸込開口の当接することによる摩擦トルクを小さくしたことを特徴とする、電動送風機。
【請求項２】
前記シール部材は、静電植毛により細径繊維を接着したことを特徴とする、請求項１に記載の電動送風機。
【請求項３】
前記シール部材と前記シュラウド板の吸込開口の隙間がほぼゼロで接していることを特徴とする、請求項１又は２に記載の電動送風機。
【請求項４】
請求項１乃至請求項３の何れか１項に記載の電動送風機を備え、塵埃を集塵する集塵室と、操作するための持ち手となるグリップ部と、電気の入切をするためのスイッチ部を有した電気掃除機。
【発明の詳細な説明】
【技術分野】
【０００１】
本発明は、電動送風機及びそれを搭載した電気掃除機に関する。
【背景技術】
【０００２】
近年需要が急速に高まっているコードレススティック掃除機や自走式電気掃除機においては、低電圧のバッテリー駆動でも十分な出力を得ると共に、振動や騒音を低減するためにＤＣブラシレスモータを用いた電動送風機が使用されている。また、電気掃除機の小型化を達成するために、電動送風機の小型化も求められている。電動送風機の小型化に関しては、電動送風機を高速化することでファンの外径を小さくすることが出来る。そのため、ブラシレスモータの回転数を毎分約８万回転以上としている例がある。
一方、キャニスター形の掃除機に用いられている電動送風機では、低コスト化なども踏まえ、従来よりブラシ付きモータを採用している。十分な吸込力を得るために電動送風機の高出力化が求められているなか、駆動する回転数は毎分４万回転〜５万回転程度である。ファン出力を確保するためにファンの外径はコードレススティック掃除機のファンに比べ、２倍以上も大きい。さらに、効率的な風の流路を確保するために、回転するファンと、それを覆う形で配置されるファンケーシングとの一部分を、摺動可能とするシール部材を介して当接させ、気密をとることで高効率なファン出力を得ている。
ブラシレスモータに置き換えると、小型軽量化のためファンの外径に関しては、回転数の高速化により補っているとして、ファンの気密による高出力化は応用し得る技術である。
シール部材を用いたシール方法の従来技術として、例えば、特開２０００−１７９４９５号公報（特許文献１）、特開平９−２３６０９８号公報（特許文献２）、実開平４−１１２９７号公報（特許文献３）、特開２０１５−１７５２３６号公報（特許文献４）に開示されているものがある。
特開２０００−１７９４９５号公報に開示されている電動送風機は、電動機のハウジングに取り付けられ、遠心ファンおよびディフューザを覆うように形成したファンケーシングと、前記ファンケーシングの吸気孔部に、遠心ファンの吸気孔と同軸に円環状に形成した湾曲部と、シール保持部材に保持された状態で前記遠心ファンの吸気孔部と摺接するシール部材と、前記ファンケーシングに取り付けられ、前記シール部材を押圧するシール押さえ部材からなる電動送風機において、前記シール保持部材は前記シール部材を嵌合する凹溝を備え、かつ湾曲部に嵌合保持した構成としている。
また、特開平９−２３６０９８号公報に開示されている電動送風機は、ファンカバーの吸込口周縁に環状部を形成し、環状部にファンの吸込口縁が当接するシール材を設け、シール材を、耐熱性、低摩擦性、柔軟性を有すると共に、削れやすい合成樹脂を環状部に充填したことで構成されている。
さらに、実開平４-１１２９７号広報に開示されている送風機は、上、下シュラウド板の間に放射状に複数のブレードを有する遠心羽根車および、該遠心羽根車外周に固定案内翼を配置し、それらを覆うファンカバーを有する送風機において、ファンカバーの前記上側シュラウド板に対向する面に環状に静電植毛により、短繊維を接着した構成としている。
また、特開２０１５−１７５２３６号公報に開示されている送風機は、回転軸を中心に回転して気体の流れを発生させる複数の翼を有する羽根車と、羽根車の翼の回転方向に沿って、翼の外周端より外側に壁面を形成し、気体を整流するベルマウスと、ベルマウスの内壁面の翼との対向部分に少なくとも設置され、ベルマウスの内壁面と翼との隙間の部分に柔毛素材を有する柔毛素材部とを備え、ベルマウスは、柔毛素材部を設置する部分における内壁面と気体流入側における内壁面との間に段差を有し、柔毛素材部は、柔毛素材の先端とベルマウスの気体流入側における内壁面とが連なるように設置される構成としている。
【先行技術文献】
【特許文献】
【０００３】
【特許文献１】特開２０００−１７９４９５号公報
【特許文献２】特開平９−２３６０９８号公報
【特許文献３】実開平４-１１２９７号公報
【特許文献４】特開２０１５−１７５２３６号公報
【発明の概要】
【発明が解決しようとする課題】
【０００４】
上述した特許文献１、２、３では、遠心ファンの吸気孔部とファンケーシングに取り付けられたシール部材とが確実に摺接される形となり気密が確保できるものの、摺接可能となる最初の摩擦トルクに打ち勝つために電動送風機の始動トルクは大きなものとなる。これはつまり、キャニスター形掃除機に採用されるブラシ付きモータのように大きな始動トルクを得られるモータに対して有効な気密方法となる。
しかし、コードレススティック掃除機や自走式電気掃除機の位置センサを用いていないセンサレス制御の小型のブラシレスモータでは、始動時の磁石の磁極位置を決定する動作が必要となり、小さなトルクしか生じないために、始動不可能となってしまう課題があった。
特許文献４においては、軸流式や斜流式の送風機で、ベルマウス内壁面側の翼と対抗する部分に柔毛素材を備えることで、翼とベルマウスとの間の翼端隙間を狭小化している。隙間を有しているために始動トルクの小さなブラシレスモータでも駆動することができる。しかし、翼と対抗するベルマウス内壁面全域に柔毛素材を配置しなければならなく、材料費や作業コストの上昇に繋がる。また、翼とベルマウス内壁面で隙間を有しているため、翼の圧力面側から負圧面側に漏れ流れが発生するため、翼間の流れに影響し送風機効率が低下するという課題があった。
【０００５】
本発明の目的は、上記課題を解決するものであり、小型の位置センサを用いていないブラシレスモータで電動送風機の始動を可能とし、低コストで遠心送風機入口の漏れ流量を低減することで送風機効率の向上を図り、ごみ取り性能を向上させた電動送風機及び電気掃除機を提供することにある。
【課題を解決するための手段】
【０００６】
上記課題を解決するために、代表的な本発明の電動送風機の一つには、吸込開口を有するシュラウド板とハブ板の間に放射状に複数の羽根を有する樹脂製の回転翼および、回転翼の外周部に複数のディフューザ翼を配置し、回転翼とディフューザ翼を覆う樹脂製のファンケーシングと、回転翼を回転駆動するセンサレスブラシレスモータとを備え、ファンケーシングの中央部に吸込口と、吸込口を囲む環状凹部を有し、環状凹部にシール部材が設けられ、シール部材と前記シュラウド板の吸込開口が当接し、ブラシレスモータの起動トルクよりもシール部材と吸込開口の当接することによる摩擦トルクを小さくしたことにより達成される。
【発明の効果】
【０００７】
本発明によれば、遠心羽根車のシュラウド板の吸込開口に対向するファンケーシング内面にシール部材を設け、ブラシレスモータの起動トルクよりもシール部材と吸込開口の当接による摩擦トルクを小さくしたことにより、始動トルクの小さなブラシレスモータでの駆動を可能とすることができる。
また、遠心羽根車の直径の一番小さな吸込開口でシールを行うため、シール部材の使用量を少なくすることができ、コスト低減を図ることができる。
さらに、遠心羽根車とファンケーシングの隙間を極力小さくすることができるので、漏れ流量を低減することで高効率、高出力な電動送風機及びそれを搭載した電気掃除機を提供することができる。
【０００８】
上記した以外の課題、構成及び効果は、以下の実施形態の説明により明らかにされる。
【図面の簡単な説明】
【０００９】
【図１】本発明の実施形態例における電動送風機を示す縦断面図ある。
【図２】本発明の実施形態例における電動送風機を示す分解図である。
【図３】本発明の実施形態例におけるロータ組立体を示す分解図である。
【図４】（ａ）は本発明の実施形態例における遠心羽根車の斜視図、（ｂ）は遠心羽根車の縦断面図である。
【図５】（ａ）は本発明の実施形態例における案内翼の斜視図、（ｂ）は案内翼の背面図、（ｃ）は案内翼の縦断面図である。
【図６】（ａ）は本発明の実施形態例におけるファンケーシングの斜視図、（ｂ）はファンケーシングの縦断面図である。
【図７】本発明の実施形態例における電動送風機の送風機部の吸込口付近の部分拡大図である。
【図８】本発明の一実施例における電動送風機を搭載した電気掃除機を示し、（ａ）はスティック型として使用する際の斜視図、（ｂ）は電気掃除機をハンディ型として使用する際の側面図である。
【図９】本実施例における電動送風機を搭載した掃除機本体の縦断面図である。
【発明を実施するための形態】
【００１０】
以下、本発明の一実施例について、図面を参照し説明する。本実施の形態例において、回転翼は遠心羽根車を用いて説明する。
【実施例１】
【００１１】
図１から図３により、本発明の一実施例に係る電動送風機２００について図面を参照しながら説明する。図１は本発明の一実施例に係る電動送風機を示す断面図であり、図２は本発明の一実施例に係る電動送風機の分解図、図３は本発明の一実施例に係るロータ組立体を示す分解図である。
【００１２】
この電動送風機２００は、送風機部２０１と電動機部２０２に大別される。送風機部２０１は、回転翼である遠心羽根車１と、該遠心羽根車１を収納するファンケーシング２及び、複数のディフューザ羽根３ａと該ディフューザ羽根３ａの裏面に複数のリターンガイド羽根３ｂを備えた案内翼３で構成される。ファンケーシング２には空気吸込口２ａが設けられ、空気吸込口２ａの外周内面には凹部３７が設けられ、凹部３７の内面にシール部材３８が設けられている。ファンケーシング２の内面のディフューザ羽根３ａと対抗する位置に弾性体を用いた気密保持部材２ｂがファンケーシング２に一体成形されている。本実施例ではインサート成形により気密保持部材２ｂとファンケーシング２を一体成形している。
遠心羽根車１は熱可塑性樹脂製で、回転軸４に直結されている。ここで、本実施例では、回転翼である遠心羽根車１を回転軸４に圧入固定しているが、回転軸４の端部にねじを設け、遠心羽根車１を固定ナットを用い固定しても良い。
【００１３】
電動機部２０２は、ハウジング５内に収納される回転軸４に固定されているロータコア６、及びハウジング５に固定されているステータ７から構成される。
【００１４】
ロータコア６は、回転軸４における遠心羽根車１が固定されている端部と逆側の軸方向Ｇの端部に設けられ、希土類系のボンド磁石からなる。希土類系のボンド磁石は、希土類系磁性粉末と有機バインダーとを混合して作られる。希土類系のボンド磁石としては、例えば、サマリウム鉄窒素磁石や、ネオジム磁石等を用いることができる。ロータコア６は回転軸４に一体成形されている。また、ロータコア６は、カバー６ａにより周面に接した状態で覆われている。カバー６ａは、非磁性の薄板を筒状に形成したものであり、例えば、ステンレス鋼にニッケル量を多く配合したもので構成される。
ステータ７はロータコア６の外周側に配置されハウジング５に固定ねじ８で固定されている。ステータ７は電磁鋼板を回転軸方向に積層し形成したステータコア９と、ステータコア９の周りに２つの巻枠１０、１１が配置され、巻枠１０、１１を介して界磁巻線１２が巻かれている。界磁巻線１２は、電動送風機２００に備わる図示しない回路部に電気的に接続される。巻枠１１の端部には巻枠１１同士を固定する接続部材１３が挿入固定されている。本実施例ではステータ７の剛性を高めるために、巻枠１１同士を固定する接続部材１３を設けているが、この限りではない。
【００１５】
遠心羽根車１とロータコア６の間には軸受１４、１５を備え、回転軸４を回転自在に支持している。軸受１４と軸受１５の間には、圧縮された状態でばね１６が配置され、軸受１４、１５に予圧を付与している。軸受１４、１５と、ばね１６は軸受カバー１７に内包されている。回転軸４のロータコア６よりも端部にはバランス調整用のリング部材１８が取り付けられている。回転体を回転させて遠心羽根車１の背面とリング部材１８を削ることで２面バランス修正を行うことができる。バランス調整用リング部材１８はロータコア６よりも比重が大きい金属材料で、例えば銅材などの焼結品（燒結体）や機械加工で製作される。なお、リング部材１８としては、ロータコア６よりも比重が大きく、かつ、非磁性の材料であれば、銅に限定されるものではない。
【００１６】
ハウジング５は合成樹脂材であり、軸受１４、１５を内包する軸受カバー１７を固定する支持部１９を有している。軸受カバー１７は非磁性金属材料で、樹脂製ハウジング５とインサート成形によって一体化される。なお、軸受カバー１７はアルミニウム合金などの熱伝導率の高い材料が望ましい。
【００１７】
樹脂製ハウジング５の支持部１９の端部には回転軸方向に延在するねじ穴２０が形成されている。ねじ穴２０には固定ねじ２１が螺合可能で、固定ねじ２１の螺合によって案内翼３が樹脂製ハウジング５に固定設置されている。ハウジング５には、ハウジング５内に空気が流れ込むように開口２２と、電動送風機２００の外部に空気を排出する排気口２３が設けられている。ハウジング５の端部に配置されるステータ７のステータコア９、巻枠１１は、固定ねじ８によってハウジング５に固定される。
【００１８】
次に、電動送風機２００内における空気の流れを説明する。電動機部２０２を駆動して回転翼である遠心羽根車１を回転させると、ファンケーシング２の空気吸込口２ａから空気が流入し、遠心羽根車１内に流入する。流入した空気は遠心羽根車１内で昇圧及び増速し、遠心羽根車１の外周から流出する。遠心羽根車１から流出した空気流は、案内翼３に導かれる。遠心羽根車１から流出した空気流の一部は、遠心羽根車１とファンケーシング２の間の隙間を通り、遠心羽根車１の吸込開口２８側に漏れ流れを生じるが、ファンケーシング２の空気吸込口２ａの内面に設けられているシール部材３８により、気密性が保持される。これによって、遠心羽根車１への漏れ流れを防止でき送風機効率を向上させることができる。
【００１９】
案内翼３には複数のディフューザ羽根３ａが設けられ、空気流がディフューザ羽根３ａの羽根間で減速することによって、空気流のもつ運動エネルギーを圧力エネルギーに変換して圧力が上昇する。ディフューザ羽根３ａ間から流出された空気流は、ファンケーシング２の内面と案内翼３で形成された流路からリターンガイド羽根３ｂに流入する。
ディフューザ羽根３ａがファンケーシング２の気密保持部材２ｂに食い込むことで、ファンケーシング２とディフューザ羽根３ａとの気密性が保持される。これによって、案内翼３のディユーザ羽根３ａ間での漏れを防止することができ、送風機効率を向上させることができる。なお、本実施例では羽根付ディフューザを用いているが、羽根無しディフューザとしても良い。
【００２０】
リターンガイド羽根３ｂを通過した空気流は、ハウジング５の開口２２からハウジング５内部に流入し、軸受カバー１７の冷却フィン２４を冷却し、これに伴い軸受カバー１７を介して軸受１４、１５を冷却する。また、ロータコア６、ステータコア９、界磁巻線１２などを冷却して外部へ排出する。これによって、ハウジング５内の各部が冷却される。リターンガイド羽根３ｂを通過した空気流の一部は、ハウジング５の排気口２３から外部へ排出する。
本発明の一実施例の送風機部２０１を図４から図７を用い説明する。図４（ａ）は本発明による遠心羽根車の一実施例の斜視図で、（ｂ）は遠心羽根車の断面図、図５（ａ）は本発明による案内翼の斜視図で、（ｂ）は背面図、（ｃ）は断面図、図６（ａ）は本発明によるファンケーシングの斜視図で、（ｂ）は断面図、図７は本発明による電動送風機の吸込口付近の部分拡大図である。
【００２１】
先ず図４を用い、本発明に係る一実施例の遠心羽根車１について説明する。本発明に係る一実施例の遠心羽根車１は、シュラウド板２５と、ハブ板２６と複数枚の羽根２７から構成されている。ハブ板２６と羽根２７は熱可塑性樹脂で一体成形されている。
【００２２】
熱可塑性樹脂製のシュラウド板２５は、中央部に空気を吸い込む円環状の吸込開口２８が形成されている。吸込開口２８は回転軸４と略平行に板厚が薄く形成されている先端部２９が設けられている。シュラウド板２５は、吸込開口２８から流入した軸方向流れを径方向流れに転向する曲面部３０が設けられ、吸込開口２８と曲面部３０が滑らかに接続され、曲面部３０から外径にかけて半径方向を向くように形成されている。
【００２３】
羽根２７の上面には突起状の爪２７ａが形成され、シュラウド板２５には貫通穴２５ａが設けられている。羽根２７の突起状の爪２７ａとシュラウド板２５の貫通穴２５ａを係合させることで、シュラウド板の位置を定めることができる。羽根２７とシュラウド板２５を溶着加工により接合することで遠心羽根車１が形成される。
【００２４】
ハブ板２６の中央には、回転軸４が挿入されて固定される凸形状のボス２６ａが形成されている。ハブ板２６と一体成形されている羽根２７は周方向に等間隔で設置されており、内径側から径方向外側に向かうにつれ、回転方向に後退した羽根形状を有する。ボス２６ａは軸方向から径方向に向かうように曲面が形成されている。
【００２５】
ハブ板２６の羽根２７の裏面側の外周には凸部２６ｂが設けられている。回転体を回転させて凸部２６ｂと回転軸４の軸端に取り付けられているバランス調整用のリング部材１８を削ることで２面バランス修正を行うことができる。これにより、遠心羽根車１を含めた回転体のアンバランス量を小さくでき、振動や騒音の低減が図られ、毎分８０、０００回転以上の高速回転を可能とすることができる。
【００２６】
遠心羽根車１は熱可塑性樹脂製であるが、電動機などにより発生する熱による変形等を防ぐために特に耐熱性が１００℃以上、遠心応力に耐えるために引張強度が１００ＭＰａ以上あるエンジニアリングプラスティック材料が望ましい。例えば、ポリエーテルエーテルケトン（ＰＥＥＫ）や、ＰＥＥＫにカーボン繊維が含まれているものであるとより望ましい。これにより、金属製の遠心羽根車よりも軽量化が図られ、強度を確保し、高速回転に耐えることができる樹脂製遠心羽根車１を実現できる。
【００２７】
次に図５を用い、本発明に係る一実施例の案内翼３について説明する。本発明に係る一実施例の案内翼３は樹脂製であり、複数枚のディフューザ羽根３ａと、該ディフューザ羽根３ａの下流側に形成された複数枚のリターンガイド羽根３ｂと、ディフューザ羽根３ａとリターンガイド羽根３ｂとの間を仕切る仕切板３ｃとが一体に成形されている。
【００２８】
ディフューザ羽根１３の上面にはリブ３１が形成され、ファンケーシング２の機密保持部材２ｂに当接されている。ディフューザ羽根３ａの外径側は軸方向にゆるやかに傾斜し、軸方向に傾斜したディフューザ流路を形成している。
【００２９】
仕切板３ｃには、案内翼３を樹脂製ハウジング５に固定するための貫通穴３２が設けられている。貫通穴３２に固定ねじ２１を差し込み、ハウジング５のねじ穴２０と固定ねじ２１によって、案内翼３はハウジング５に固定される。
次に図６を用い、本発明に係る一実施例のファンケーシング２について説明する。本発明に係る一実施例のファンケーシング２は、遠心羽根車１及び案内翼３を外方から覆っており、平面視円形状の上板３３と、上板３３の周縁部に連続して軸方向に延在する円環状の側板３４とを備えている。ファンケーシング２の側板３４の反上板３３側の端部には突起３５が設けられ、ファンケーシング２をハウジング５に固定する取付穴３６が設けられている。
【００３０】
ファンケーシング２の上板３３の中央に空気吸込口２ａが設けられている。空気吸込口２ａの外周内面には凹部３７が設けられ、凹部３７内に遠心羽根車１の先端部２９が配置される。ファンケーシング２の凹部３７内にはシール部材３８が設けられている。シール部材３８は柔軟性に富んだ細径の繊維を形成され、静電植毛などでファンケーシング２の凹部３７に接着されている。
ファンケーシング２の上板３３の内面には弾性体を用いた気密保持部材２ｂが配置されている。気密保持部材２５はゴムやエラストマー等の弾性材料からなり、ファンケーシング２に一体成形されている。本実施形態では、インサート成形により弾性部材２ｂとファンケーシング２を一体成形している。ディフューザ羽根３ａに設けたリブ３１が気密部保持部材２ｂに食い込むことで、ファンケーシング２と案内翼３との気密性が保持される。これによって、案内翼３のディユーザ羽根３ａ間での漏れを防止することができ、送風機効率を向上させることができる。
電動送風機２００は電気掃除機の運転中にジャイロモーメント力等を受ける可能性や、各部品の寸法精度から、ファンケーシング２の凹部３７と遠心羽根車１の先端部２９の先端との隙間Ｇはおよそ０．５ｍｍに設けられ、ファンケーシング２の凹部３７の内面には、シール部材３８が配置されている。
シール部材３８は、例えば静電植毛などで柔軟性に富んだ細径の繊維をファンケーシング２の凹部３７の内面に植え付けられている。なお、細径の繊維をテープなどに植え付け、そのテープをファンケーシング２の凹部３７に貼付するようにしても良い。
本実施例の電動送風機は、センサレス制御のブラシレスモータのため、ロータコア６の磁極位置を決定する動作が必要となる。そのため、始動トルクは非常に小さいので、シール部材３８の長さや密度、材質などは、電動機２０２の始動トルクよりも遠心羽根車１の先端部２９とシール部材３８の接触により発生する摩擦トルクが小さくなるように構成されている。本実施例では遠心羽根車１の先端部２９とファンケーシング２のシール部材３８との隙間はほぼゼロになるように構成されている。このため、シール部での摩擦トルクは小さくすることができる。
【００３１】
これにより、小型の位置センサを用いていないブラシレスモータで電動送風機２００の始動を可能とし、遠心羽根車１で昇圧された空気が、遠心羽根車１とファンケーシング２の隙間を通って遠心羽根車１の吸込開口２８側へ漏れる空気量を小さくすることができるので、送風機効率を高くすることができる。
【００３２】
また、遠心羽根車１の直径の一番小さな吸込開口２８でシールを行うため、シール部材３８の使用量を少なくすることができ、コスト低減を図ることができる。
【００３３】
さらに、ファンケーシング２の凹部３７と遠心羽根車１の先端部２９の先端は、およそ０．５ｍｍの隙間を有しているため、電気掃除機の使用状況で、遠心羽根車１にジャイロモーメント力が加わっても遠心羽根車１とファンケーシング２が当たることによる破損の恐れも無く、信頼性の高い電動送風機を得ることができる。
次に、図８及び図９により、本発明の一実施例に係る電気掃除機４００について図面を参照しながら説明する。
なお、以下では、スティック型とハンディ型とを適宜切り替えて使用できる充電式の電気掃除機４００に適用した場合を例に挙げて説明するが、スティック型のみ、ハンディ型のみ、など様々なタイプの電気掃除機に適用することができる。
図８は本実施例における電動送風機を搭載した電気掃除機を示し、（ａ）はスティック型として使用する際の斜視図、（ｂ）は電気掃除機をハンディ型として使用する際の側面図である。
【００３４】
図８（ａ）に示すように、電気掃除機４００は、塵埃を集塵する集塵室４０１および集塵するのに必要な吸込気流を発生させる電動送風機２００（図１）を収納する掃除機本体４１０、掃除機本体４１０に対して伸縮自在に設けられた伸縮パイプ４０２、伸縮パイプ４０２の一端に設けられたグリップ部４０３、グリップ部４０３に設けられた電動送風機２００の入切を行うスイッチ部４０４を備えて構成されている。
【００３５】
図８（ａ）に示す電気掃除機４００は、スティック状態であり、伸縮パイプ４０２が伸ばされた状態である。また、掃除機本体４１０の他端には吸口体４０５が取り付けられ、掃除機本体４１０と吸口体４０５とが接続部４０６で繋がれている。
【００３６】
図８（ｂ）に示す電気掃除機４００は、ハンディ状態であり、伸縮パイプ４０２が掃除機本体４１０内に収納され、グリップ部４０３が伸縮パイプ４０２側に近接した状態である。また、ハンディ状態での持ち手となるハンディグリップ部４０７は、掃除機本体４１０の上面側に、近接されたグリップ部４０３と集塵室４０１との間に設けられている。また、掃除機本体４１０の他端部には吸口体（隙間ノズル）４０８が取り付けられ、掃除機本体４１０と吸口体４０８とが接続部４０６で繋がれている。
【００３７】
以上の電気掃除機４００において、グリップ部４０３のスイッチ部４０４を操作することで、掃除機本体４１０に収納された電動送風機２００（図１参照）が作動し、吸込気流を発生させる。そして、吸口体４０５、４０８から塵埃を吸込み、接続部４０６を通して掃除機本体４１０の集塵室４０１に集塵する。
【００３８】
図９は本実施例における電動送風機を搭載した掃除機本体の縦断面図である。なお、図９は、ハンディ状態であり、掃除機本体４１０から吸口体４０８を取り外した状態である。
【００３９】
図９に示すように、掃除機本体４１０の内部には、吸引力を発生させる電動送風機２００、電動送風機２００に電力を供給する電池ユニット４２０、駆動用回路４３０が設けられている。
【００４０】
吸口体４０５、４０８（図８（ａ）、（ｂ）参照）から吸い込まれた空気は、掃除機本体４１０に設けられた流路４４０（図８（ａ）参照）を通って電動送風機２００の前方に配置された集塵室４０１に送られ、集塵室４０１内に集塵される。そして、集塵室４０１で塵挨が分離された後の空気は、電動送風機２００、駆動用回路４３０を通り、掃除機本体４１０に形成された排気口（不図示）から外部に排出される。
【００４１】
本実施例の電動送風機２００を電気掃除機に搭載することにより、高い吸込性能を有する電気掃除機を得ることができる。
なお、本発明は上記した実施例に限定されるものではなく、様々な変形例が含まれる。例えば、上記した実施例は本発明を分りやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部については、他の構成の追加・削除・置換をすることが可能である。
【符号の説明】
【００４２】
１                  遠心羽根車
２                  ファンケーシング
３                  案内翼
４                  回転軸
５                  ハウジング
６                  ロータコア
７                  ステータ
８                  固定ねじ
９                  ステータコア
１０、１１          巻枠
１２                界磁巻線
１３                接続部材
１４、１５          軸受
１６                ばね
１７                軸受カバー
１８                バランスリング
１９                ハウジング支持部
２０                ねじ穴
２１                固定ねじ
２２                ハウジング開口
２３                ハウジング排気口
２４                冷却フィン
２５                シュラウド板
２６                ハブ板
２７                インペラ羽根
２８                吸込開口
２９                先端部
３０                曲面部
３１                リブ
３２                ねじ穴
３３                上板
３４            側板
３５            突起
３６            取付穴
３７            凹部
３８            シール部材
２００              電動送風機
２０１              送風機部
２０２              電動機部
４００          電気掃除機本体
【図１】
2019105216.tif 000003
【図２】
2019105216.tif 000004
【図３】
2019105216.tif 000005
【図４】
2019105216.tif 000006
【図５】
2019105216.tif 000007
【図６】
2019105216.tif 000008
【図７】
2019105216.tif 000009
【図８】
2019105216.tif 000010
【図９】
2019105216.tif 000011